(57)【要約】【課題】機械的構造を回避し，音又は振動と光を同時に制御して集魚効果を高める集魚器を提供する。【解決手段】集魚器は，乾電池を収容する電源収容部と，前記電源収容部とシールドリングを介してネジ結合する本体収容部を有し，少なくとも前記本体収容部は透明の樹脂構造であり，更に前記本体収容部に回路本体部が収容され，前記回路本体部は，少なくとも一つのＬＥＤ素子と，スピーカと，コントローラが搭載され，前記乾電池により前記コントローラに電力が供給されて，前記コントローラから前記ＬＥＤ素子をランダムに発光制御する信号と，前記スピーカからランダムな振動音を発生制御する信号が出力されることを特徴とする。【選択図】図１
2014226082.tif 000002
【特許請求の範囲】
【請求項１】
乾電池を収容する電源収容部と，
前記電源収容部とシールドリングを介してネジ結合する本体収容部を有し，
少なくとも前記本体収容部は透明の樹脂構造であり，更に
前記本体収容部に回路本体部が収容され，前記回路本体部は，少なくとも一つのＬＥＤ素子と，スピーカと，コントローラが搭載され，
前記乾電池により前記コントローラに電力が供給されて，前記コントローラから前記ＬＥＤ素子をランダムに発光制御する信号と，前記スピーカからランダムな振動音を発生制御する信号が出力される
ことを特徴とする集魚器。
【請求項２】
請求項１において，
前記コントローラは，マイクロコントローラであって，前記マイクロコントローラのメモリに格納されるプログラムに従って前記ＬＥＤ素子をランダムに発光制御する信号と，前記スピーカからランダムな振動音を発生制御する信号が出力される
ことを特徴とする集魚器。
【請求項３】
請求項１において，
前記スピーカは，金属板に圧電素子が貼られた構造であり，前記コントローラから出力される信号により前記圧電素子が振動音を生成する
ことを特徴とする集魚器。
【請求項４】
請求項１において，
前記回路本体部は，ベース基板と，
前記ベース基板の裏面側に電極ネジ部が接続され，
前記電極ネジ部は，周囲にネジ部を，先端に凸部を有し，前記ネジ部は口金のネジ部と係合固定され，
前記電極ネジ部の先端凸部に，前記電源収容部に収容された乾電池の正極が，前記電極ネジ部のネジ部に前記口金を通して負極が対応づけられる
ことを特徴とする集魚器。
【発明の詳細な説明】
【技術分野】
【０００１】
本発明は，集魚器に関し，特に深海で音／振動，及び光を用いて効率的に集魚する集魚器に関する。
【背景技術】
【０００２】
２００ｍ以上の深海に生息するカジキ，ソデイカ等の大きな魚類の釣果を挙げるには，これら大きな魚類が捕食する小魚，プランクトンが集中する海域を探ることが望ましい。
【０００３】
一の方法として，コマセを海中に撒き小魚，プランクトンの群れを生成させ，これに大きな魚類を誘導する方法がある。
【０００４】
一方，コマセを海中に撒くことにより海底を汚すおそれがある。そのため，海中環境保護と，集魚率を高めるために集魚器が用いられる。
【０００５】
集魚器については，これまで種々の提案が成されている（特許文献１-５等）。
【０００６】
特許文献１では，釣り針付近に魚の補食の音に近い集魚信号を発することを示している。また，容器にシリンダを設け，釣り竿を操り，容器が揺れるとピストンの移動によりスイッチを付勢してＬＥＤ素子を点灯することを示している。
【０００７】
特許文献２は，集魚灯の側面にカラー発光ダイオードを全体に装着して魚を集めることを示している。
【０００８】
特許文献３は，指向性を有する光を水面に照射して魚類を集魚する。光の海中への入射角度を移動させて魚群を光源の方向に誘導する技術を示している。
【０００９】
特許文献４は，音波を利用して魚寄せをすることを示し，周期的又は疑似ランダムなパターン信号により圧電素子を駆動して音波を発生することを示している。
【００１０】
特許文献５は，ブレードを有するルアーに集魚音を発する機能と，ブレード基体に光の屈折によるレンズ効果を発揮するように凹凸形状を形成して厚みを変化させている形状を開示している。
【先行技術文献】
【特許文献】
【００１１】
【特許文献１】特開平8-23847号公報
【特許文献２】特開2006-230364号公報
【特許文献３】特開2009-53号公報
【特許文献４】特開平9-131151号公報
【特許文献５】特開2000-166424号公報
【発明の概要】
【発明が解決しようとする課題】
【００１２】
上記従来技術において，光又は音により，集魚効果を高めることは記載があるが，これらを同時に制御する簡易な構成は開示がない。
【００１３】
特許文献１には，音と光を発することが記載されているが，釣り針の付近で使用し，つり針の揺れに対応してピストン構造で発光を制御する機械的な構造であり複雑である。
【００１４】
したがって，本願発明の目的は，太陽光の届かない深海での集魚を目的として，機械的構造を回避し，音又は振動と光を同時に生成制御して集魚効果を高める集魚器を提供することにある。
【課題を解決するための手段】
【００１５】
上記課題を達成する本発明に従う集魚装置の一態様は，乾電池を収容する電源収容部と，前記電源収容部とシールドリングを介してネジ結合する本体収容部を有し，少なくとも前記本体収容部は透明の樹脂構造であり，更に前記本体収容部に回路本体部が収容され，前記回路本体部は，少なくとも一つのＬＥＤ素子と，スピーカと，コントローラが搭載され，前記乾電池により前記コントローラに電力が供給されて，前記コントローラから前記ＬＥＤ素子をランダムに発光制御する信号と，前記スピーカからランダムな振動音を発生制御する信号が出力されることを特徴とする。
【００１６】
上記課題を達成する本発明に従う集魚装置は，前記一態様において，前記コントローラは，マイクロコントローラであって，前記マイクロコントローラのメモリに格納されるプログラムに従って前記ＬＥＤ素子をランダムに発光制御する信号と，前記スピーカからランダムな振動音を発生制御する信号が出力されることを特徴とする。
【００１７】
上記課題を達成する本発明に従う集魚装置は，前記一態様において，更に前記スピーカは，金属板に圧電素子が貼られた構造であり，前記コントローラから出力される信号により前記圧電素子が振動音を生成することを特徴とする。
【００１８】
また，上記課題を達成する本発明に従う集魚装置は，前記一態様において，前記回路本体部は，ベース基板と，前記ベース基板の裏面側に電極ネジ部が接続され，前記電極ネジ部は，周囲にネジ部を，先端に凸部を有し，前記ネジ部は口金のネジ部と係合固定され，前記電極ネジ部の先端凸部に，前記電源収容部に収容された乾電池の正極が，前記電極ネジ部のネジ部に前記口金を通して負極が対応づけられることを特徴とする。
【図面の簡単な説明】
【００１９】
【図１】本発明に従う集魚装置の一実施例構成を示す外観図である。
【図２】本発明に従う集魚装置の使用方法を説明する図である。
【図３】本発明に従う集魚装置の本体収容部に収容される回路本体部（図３Ａ）ソケット（図３Ｂ）の写真である。
【図４】回路本体部の構成を説明する詳細図である。
【図５】回路本体部の回路図である。
【図６】マイクロコントローラから出力される４チャネル（CH-00，CH-01，CH-02，CH-03）の信号波形の一例を示す図である。
【発明を実施するための形態】
【００２０】
以下，本発明に従う集魚装置の実施例を図面に沿って，説明する。なお，図に示す実施例構成は，本発明の理解を目的とするものであり，本発明の保護の範囲は，実施例に限定されるものではない。
【００２１】
図１は，本発明に従う集魚装置の一実施例構成を示す外観図である。
【００２２】
電源収容部１と，電源収容部１にねじ込みで結合する，回路本体部４を収容する本体収容部２を有する。電源収容部１には，電源として乾電池が収容される。電源収容部１と本体収容部２の間は，ゴムシールドリング３により気密封止される。これにより，集魚装置の内部に海水の進入を防ぐことが出来る。
【００２３】
電源収容部１と本体収容部２は，ＡＢＳ硬化樹脂性であり，深海の圧力に耐えられる約２ｍｍの肉厚を有している。さらに，本体収容部２は，回路本体部４からの発光が外に透過する透明の樹脂構造である。
【００２４】
さらに，電源収容部１の先端部と, 本体収容部２の先端部のそれぞれに紐通し穴１Ａ，２Ａが設けられている。この紐通し穴１Ａ，２Ａを用いて，本発明に従う集魚装置は，一例として図２に示す様な形態で使用される。
【００２５】
図２において，本発明に従う集魚器２０は，漁船２１から海中に下ろされた釣糸２２の先端の釣針２３の上方部に，紐通し穴１Ａ，２Ａのいずれか一方を枝糸２４に繋いで接続される。
【００２６】
釣糸２２は，２００ｍより深い深海まで伸ばされるので，釣針２３の近傍では，太陽光も届かず，又，音も生じない環境である。
【００２７】
かかる環境において，本発明に従う集魚器２０は，回路本体部４から光と音を発生する。特に光と音は，ランダムな周期で光の点滅と音（海中へは振動音）が放出される。これにより，小魚あるいは，プランクトンが，光と振動音に誘引されて集まり，これらの生き物による大きな魚群域２４が形成される。
【００２８】
ついで，かかる魚群域２４に小魚，プランクトンを捕食するべく大型の魚２５が近づき，釣針に掛かる機会が多くなる。この様に、大型の魚２５を釣針２３の近傍に集め，大型の魚２５の釣果を高めることが出来る。
【００２９】
次に，図３は，本発明に従う集魚装置の本体収容部２に収容される回路本体部４（図３Ａ）と口金５（図３Ｂ）の拡大写真である。回路本体部４の電極ネジ部４１が，口金５のネジ部５Ａにネジ込み挿入される構造である。電極ネジ部４１は，一般的な豆電球のネジ構造を有する電極部と同様であり，ネジ構造の下端部の凸部に乾電池の正極が当接し，ネジ構造には口金５を通して乾電池の負極が付与される。
【００３０】
図４は，更に回路本体部４の構成を説明する詳細図である。図４（１）は，回路本体部４を斜め上方から，図４（２）は，横から見た構成図である。
【００３１】
図４において，ベース基板４０の下（裏）面側に電極ネジ部４１が接続され，電源収容部１と本体収容部２が，図1に示したように結合されると，電極ネジ部４１の先端凸部４１０に乾電池の正極が，ネジ部４１１に口金５を通して負極が対応づけられる。
【００３２】
さらに，ベース基板４０の下（裏）面側には，配線路がプリントされている。ベース基板４０の上（表）面側には回路部品が搭載されている。すなわち，回路部品として複数のＬＥＤ素子４２，マイクロコントローラ４３，更に，支持柱４３２を介してスピーカ４４が搭載されている。これらの回路部品は，ベース基板４０の下面側の配線路と電気的に接続されている。
【００３３】
スピーカ４４は，金属板４３０の表裏両面に圧電素子４３１が貼られて構成されている。実施例として，金属板４３０の表裏両面に圧電素子４３１が貼られているが片側のみであってもよい。
【００３４】
金属板４３０に貼られている圧電素子４３１は，リード線４３３を通して，ベース基板４０の下面側の配線路に接続されている。圧電素子４３１に電圧が印加されて振動し，かかる振動音がスピーカ４４からの音出力とする。
【００３５】
図５は，回路本体部４の回路図である。マイクロコントローラ４３の出力が，スピーカ４４とＬＥＤ素子４２に供給される。マイクロコントローラ４３は，スイッチＳＷを通して３Ｖ〜４．５Ｖのバッテリ直流電源ＰＷから供給される電力により動作する。
【００３６】
ここで，バッテリ直流電源ＰＷは，電源収容部１に収容されるバッテリ（乾電池）である。スイッチＳＷに関し，電源収容部１と回路本体部４は，電源収容部１を回転して回路本体部４とは，ゴムシールドリング３（図１）を挟んでネジ結合される。
【００３７】
その際，バッテリ直流電源ＰＷの正極と回路本体部４の電極ネジ部４１の凸部４１０と接触することによりスイッチＳＷが閉じられた状態となる。これにより，マイクロコントローラ４３への電力供給が行われる。
【００３８】
反対に，電源収容部１を回転して回路本体部４と結合を緩めると，バッテリ直流電源ＰＷの正極と回路本体部４の電極ネジ部４１の凸部４１０とが非接触となり，スイッチＳＷが開かれた状態となり，マイクロコントローラ４３への電力供給が無くなる。
【００３９】
マイクロコントローラ４３からは，実施例として４チャネル分の信号出力が得られる。かかる４チャネル分の信号出力の内容は，マイクロコントローラ４３のメモリ領域に格納する任意のプログラム設定で変更が可能である。
【００４０】
図６は，かかるマイクロコントローラ４３から出力される４チャネル（CH-00，CH-01，CH-02，CH-03）の信号波形の一例を示す図である。ここで，実施例として使用したマイクロコントローラ４３は，米国アトメル社製の型番ATtiny13Aのマイクロコントローラであり，AVR強化RISC構造を基にした低消費CMOS８ビットマイクロ コントローラである。１周期での強力な命令の実行により，ATtiny13AはMHzあたり１MIPSに達するスループットを成し遂げ，処理速度対消費電力の最適化を得ることが可能である。
【００４１】
図６の信号波形図に戻ると，チャネルCH00の波形信号は，０．５Hzから２５ｋHzのランダムに変化する周波数の信号であって，スピーカ４４の圧電素子４３１に供給され，前記周波数変化に対応して，０．５Hzから２５ｋHzの振動がスピーカ４４から出力される。
【００４２】
一方，チャネルCH01-CH03波形信号は，０．３Ｈｚから２秒の周期のランダムに変化する信号であり，３つのＬＥＤ素子４２のそれぞれに供給される。したがって，３つのＬＥＤ素子４２は，実施例として青色発光のＬＥＤ素子であり，供給される波形信号に対応した周波数周期で青色の発光／非発光を繰り返す。なお，ＬＥＤ素子４２の数は，３つに限られず、ランダムに発光出力が得られる限り，それより多くても少なくてもよい。
【００４３】
上記の様に、ランダムに周波数／周期が変化する信号により，スピーカ４４の圧電素子４３１から振動音が出力され，同時にＬＥＤ素子４２からの発光の点滅が行われる。
【産業上の利用可能性】
【００４４】
かかる本発明の集魚装置は，特に深海領域（２００ｍよりも深い領域）で使用したとき，従来装置と比較すると格段に効率よく魚が集まることが確認されている。
【００４５】
したがって，本発明に従う集魚装置は，簡易な構造で，且つ堅固な構造であるので，深海での使用が可能で，海底を汚すこと無く極めて経済的に優れている。このため広く普及されることが期待でき，産業上利用可能性大である。
【符号の説明】
【００４６】
１        電源収容部  
１Ａ，２Ａ  紐通し穴
２        本体収容部
３        ゴムシールドリング
４        回路本体部
４０      ベース基板
４１      電極ネジ部
４１０    電極ネジ部の凸部
４１１    ネジ部
４２      ＬＥＤ素子
４３      マイクロコントローラ
４３０    金属板
４３１    圧電素子
４３２    支持柱
４３３    リード線
４４      スピーカ
５        口金
５Ａ      口金ネジ部
【図２】
2014226082.tif 000003
【図５】
2014226082.tif 000004
【図１】
2014226082.tif 000005
【図３】
2014226082.tif 000006
【図４】
2014226082.tif 000007
【図６】
2014226082.tif 000008